(57)【要約】      （修正有）【課題】フライパンや鍋などの加熱調理器具の蓋において、蓋から滴り落ちる水滴や油滴を受ける「受け」の機能を付加することで、蓋を調理台などにおいた際に水滴や油滴が調理台に滴り落ちることを防止する。【解決手段】蓋１に固定された取っ手２およびスタンド３に、溝５が形成された「受け」４を取り付け、蓋１を調理台などに立てて置いた場合に滴り落ちる水滴や油滴を溝５に受けることで、調理台を汚すことを防止する。【選択図】図１
0003234840.tif 000002
【実用新案登録請求の範囲】
【請求項１】
フライパンや鍋などの加熱調理器具の蓋の端に「受け」を設け、蓋を立てて調理台などに置いたときに、蓋に付着した水滴や油滴などが滴り落ちて調理台などを汚さないようにすることを特徴とした蓋。
【請求項２】
蓋を立てて「受け」に収納された水滴や油滴が、次にフライパンや鍋などの加熱調理器具に蓋として戻されたときに、こぼれ落ちないで保持されたままになることを特徴とする蓋。
【請求項３】
フライパンや鍋などの加熱調理器具の蓋の端に設けた「受け」が、蓋を調理台などに立てるためのスタンドと兼用される形状を持つことを特徴とする蓋。
【請求項４】
蓋の端に設けた「受け」が、蓋や前述のスタンドから容易に取り外すことができて、「受け」に溜まった水滴や油滴の排出や、「受け」の洗浄がしやすい構造を特徴とする蓋。
【請求項５】
蓋の端に設けた取り外すことのできる「受け」が、スタンドと噛み合うようにして取り付けられて、蓋をねかせても立ててもスタンドから抜け落ちない構造を特徴とする蓋。
【考案の詳細な説明】
【技術分野】
【０００１】  本考案はフライパンや鍋などの加熱調理器具の蓋から滴り落ちる滴を受ける「受け」を設けた蓋に関するものである。
【背景技術】
【０００２】  蓋を用いてフライパンや鍋などの加熱調理器具で調理を行う場合、調理の途中や終了時に蓋を調理台などに置くことで、蓋に付着した水滴や油滴が滴り落ちて調理台などが汚れ、この汚れを布巾や紙などで拭いていた。あるいは、布巾や紙をあらかじめ敷いてその上に蓋を置き、滴り落ちた水滴や油滴で調理台などが汚れないようにしていた。
【先行技術文献】
【特許文献】
【０００３】
【特許文献１】特開平１０−１７９４３２号公開特許公報
【特許文献２】特開平０７−２９８９９３号公開特許公報
【特許文献３】特開平０４−２４２５５８号公開特許公報
【考案の概要】
【考案が解決しようとする課題】
【０００４】  布巾や紙などで汚れを拭くことや、あらかじめ布巾や紙を敷くことは手間であり、汚れた布巾を洗うなどの新たな手間が生じる、あるいは紙資源を消費しごみを増やしてしまう。滴り落ちる水滴や油滴を受ける「受け」の機能を蓋に付加することで前述の欠点を解決しようとするものである。
【課題を解決するための手段】
【０００５】  本考案は蓋本体の端に蓋と一体になった水滴や油滴の「受け」を設け、さらにこの「受け」が、蓋が縦に立て置かれた状態でもあるいは水平に置かれた場合にも、水滴や油滴を溜めることができる角度を有して形成されることにより問題点を解決している。さらにまたこの「受け」が蓋を調理台に置くためのスタンドの機能を兼ねる形状を有することにより問題点を解決している。
【考案の効果】
【０００６】  上述のように、蓋本体にスタンドの機能を兼ねた「受け」を設けたために、蓋に付着した水滴や油滴の滴りを受けることができ、蓋を立てて置いた際に調理台を汚さないで済む。また、再度蓋として水平の状態で用いても「受け」に溜めた水滴や油滴がこぼれることがなく、この点においても調理台を汚さないで済む。
【図面の簡単な説明】
【０００７】
【図１】本考案の調理台を滴で汚さない蓋の実施例を示す側面図である。
【図２】本考案の調理台を滴で汚さない蓋の実施例を示す正面図である。
【図３】本蓋の「受け」に設けた溝の実施例の断面形状詳細を示す図である。
【考案を実施するための形態】
【０００８】  蓋本体の半径方向に取っ手を設け、この取っ手の外周側を蓋の端から突き出し、半径方向と直角の溝を設けてこれを「受け」とする。取っ手の突き出し部分端部に一定の面積を持たせて平らにすることで、蓋本体以外の物を用いずに蓋自ら調理台などに立て置くことができる。また、「受け」を構成する部分が取っ手から容易に取り外せる構造にすることで、「受け」に溜まった水滴や油滴の排出や「受け」の洗浄を容易にすることができる。
【実施例】
【０００９】  以下、添付図面に従って一実施例を説明する。１は耐熱性ガラスやアルミニウムなどの素材で構成された蓋本体。２は適宜樹脂などの素材で構成された取っ手。３は適宜樹脂などの素材で構成され２の取っ手と一体になったスタンド。４は適宜樹脂などの素材で構成される「受け」。５は「受け」に形成される溝。【０００１０】  調理中は１の蓋は水平の状態で用いられ内側に水滴や油滴が付着する。調理の途中あるいは終了時に３のスタンドを利用して、１の蓋は図１に示す姿勢で調理台などに立てて置かれる。この際に１の蓋に付着した水滴や油滴は下方に滴り落ちて４の「受け」に設けられた溝５で受け止められるため、調理台などを滴り落ちる水滴や油滴で汚れることを防止できる。【０００１１】  ４の「受け」に設けられた５溝の断面の一例は図３に示されているように、鉛直方向に対して角度が設けられており、１の蓋を調理台に立てた状態でも、再度調理のために蓋として水平に使用した場合も、５の溝に受けた水滴や油滴が溝に保持される。その際の液面を６ａと６ｂに示す。６ａの液面が１の蓋を立てた場合、６ｂの液面が１の蓋を水平にして用いた場合を示す。【０００１２】  ４の「受け」は３のスタンドにスライドして取り付け、取り外しができる。５の溝に保持した水滴や油滴を排出したり、４の「受け」を洗浄する際には３のスタンドからスライドして取り外すことで、前述の作業を容易にすることができる。スライド部分は鉛直、水平いずれの方向にも拘束される構造でその一例を８に示す。１の蓋を立てて置いた場合も水平にした場合のいずれの姿勢でも、４の「受け」が３のスタンドから脱落することを防止できる。
【符号の説明】
【０００１３】１    蓋本体
２    取っ手
３    スタンド
４    「受け」
５    溝
６ａ  液面
７ｂ  液面
８    鉛直、水平方向に拘束されるスライド
【図１】
0003234840.tif 000003
【図２】
0003234840.tif 000004
【図３】
0003234840.tif 000005
【手続補正書】
【提出日】令和3年3月24日(2021.3.24)
【手続補正１】
【補正対象書類名】実用新案登録請求の範囲
【補正対象項目名】全文
【補正方法】変更
【補正の内容】
【実用新案登録請求の範囲】
【請求項１】
フライパンや鍋などの加熱調理器具の蓋の縁の外周部分の一か所に、蓋の縁に沿った溝を有して、且つ蓋と一体になった「受け」を設け、本蓋を本「受け」を下方向にして鉛直あるいは鉛直に近い角度で調理台などに立てかけて置いたときに、蓋の裏側に付着した水滴や油滴などが本「受け」の溝に滴り落ちて収納されることで、調理台などを滴り落ちる水滴や油で汚さないようにすることを特徴とした蓋。
【請求項２】
本蓋に設けられた本「受け」に設けられた蓋の縁に沿った溝の深さ方向の向きが、本蓋を鉛直あるいは鉛直に近い角度で立てかけられた場合にも、あるいは水平に置かれた場合にも、鉛直方向と水平方向の中間の角度を有することで、本蓋を鉛直あるいは鉛直に近い角度で立てかけて置いた際に本溝に収納された水滴や油滴が、次にフライパンや鍋などの加熱調理器具に蓋として用いて水平あるいは水平に近い姿勢に戻されたときにも、本溝からこぼれ落ちないように保持されたままになることを特徴とする蓋。
【請求項３】
本蓋の外周部分に設けた本「受け」が、本蓋を調理台などに自立させるためのスタンドと兼用されるよう、立てかけた場合の接地部分が平らで、安定して蓋が自立する程度の面積を有した形状を持つことを特徴とする蓋。
【請求項４】
本蓋の外周部分に設けた本「受け」が、前述のスタンドから分離することができる別の部品から構成されていて、本「受け」をスタンドから取り外すことによって、本「受け」に溜まった水滴や油滴の排出や、本「受け」の洗浄が容易にできる構造を有することを特徴とする蓋。
【請求項５】
本蓋の外周部分に設けた取り外すことのできる本「受け」が、スタンドと鉛直方向にも水平方向にも拘束されるように噛み合って取り付けられて、本蓋を鉛直あるいは鉛直に近い角度にしても、水平あるいは水平に近い姿勢にしてもスタンドから容易には抜け落ちない構造を特徴とする蓋。
【手続補正書】
【提出日】令和3年7月19日(2021.7.19)
【手続補正１】
【補正対象書類名】実用新案登録請求の範囲
【補正対象項目名】全文
【補正方法】変更
【補正の内容】
【実用新案登録請求の範囲】
【請求項１】
フライパンや鍋などの加熱調理器具の蓋の縁の外周部分の一か所に、蓋の縁に沿った溝を有して、且つ蓋と一体になった「受け」を設け、本蓋を本「受け」を下方向にして鉛直あるいは鉛直に近い角度で調理台などに立てかけて置いたときに、蓋の裏側に付着した水滴や油滴などが本「受け」の溝に滴り落ちて収納されることで、調理台などを滴り落ちる水滴や油で汚さないようにすることを特徴とした蓋。
【請求項２】
請求項１に記載の「受け」に設けられた、蓋の縁に沿った溝の深さ方向の向きが、本蓋を鉛直あるいは鉛直に近い角度で立てかけられた場合にも、あるいは水平に置かれた場合にも、鉛直方向と水平方向の中間の角度を有することで、本蓋を鉛直あるいは鉛直に近い角度で立てかけて置いた際に本溝に収納された水滴や油滴が、次にフライパンや鍋などの加熱調理器具に蓋として用いて水平あるいは水平に近い姿勢に戻されたときにも、本溝からこぼれ落ちないように保持されたままになることを特徴とする請求項１に記載の蓋。
【請求項３】
請求項２に記載の「受け」が、蓋を調理台などに自立させるためのスタンドと兼用されるよう、立てかけた場合の接地部分が平らで、安定して蓋が自立する程度の面積を有した形状を持つことを特徴とする請求項１に記載の蓋。
【請求項４】
請求項２に記載の「受け」が、請求項３に記載のスタンドから分離することができる別の部品から構成されていて、本「受け」を本スタンドから取り外すことによって、本「受け」に溜まった水滴や油滴の排出や、本「受け」の洗浄が容易にできる構造を有することを特徴とする請求項１に記載の蓋。
【請求項５】
請求項４に記載の「受け」が、請求項４に記載のスタンドと鉛直方向にも水平方向にも拘束されるように噛み合って取り付けられて、本スタンドを鉛直あるいは鉛直に近い角度にしても、水平あるいは水平に近い姿勢にしても本スタンドから容易には抜け落ちない構造を特徴とする請求項１に記載の蓋。